(57)【要約】【課題】簡単な内装工事としてパネル施工することができ、リフォームにも対応可能であり、調湿、消臭、芳香等の機能も低下することなく良好に発揮され、構造的にも強固となる機能建築パネル及びその簡単で確実な製造方法を提供する。【解決手段】表面に機能剤収容溝１を複数並設してなる無機質繊維板２の同表面に、細長板片３が細長貫通溝４を介して複数並設された格子状板５を、機能剤収容溝１と細長貫通溝４とが交差するように積層し、パネルとして一体化してなる機能建築パネルＡとしたものであり、この場合、板基材５１の表面側から切削加工を施して細長貫通溝４を形成することにより、細長板片３が同細長貫通溝４を介して複数並設された格子状板５を無機質繊維板２の表面に積層形成している。【選択図】図１
2008174933.tif 000002
【特許請求の範囲】
【請求項１】
表面に機能剤収容溝を複数並設してなる無機質繊維板の同表面に、細長板片が細長貫通溝を介して複数並設された格子状板を、機能剤収容溝と細長貫通溝とが交差するように積層し、パネルとして一体化してなる機能建築パネル。
【請求項２】
機能剤収容溝の内面に機能剤を塗布することにより収容して設けたことを特徴とする請求項１記載の機能建築パネル。
【請求項３】
無機質繊維板を保持枠内に収納し、保持枠の裏側に背板を固定して無機質繊維板の裏面を覆うと共に、保持枠の表側に格子状板を固定したことを特徴とする請求項１又は２記載の機能建築パネル。
【請求項４】
保持枠の外周に実部を設けたことを特徴とする請求項３記載の機能建築パネル。
【請求項５】
請求項１〜４のいずれか一項記載の機能建築パネルの製造方法であって、表面に機能剤収容溝を複数並設してなる無機質繊維板の同表面に板基材を貼着し、板基材の表面側から切削加工を施して細長貫通溝を形成することにより、細長板片が同細長貫通溝を介して複数並設された格子状板を無機質繊維板の表面に積層形成することを特徴とする機能建築パネルの製造方法。
【発明の詳細な説明】
【技術分野】
【０００１】
本願発明は、建物の内装材等として施工され、調湿、消臭、芳香等の機能を発揮する機能建築パネル及びその製造方法に関するものである。
【背景技術】
【０００２】
従来から、図７に示すように、対向配置された壁面材１２、１３からなる壁体構造において、一方の壁面材１２をルーバー壁面材により形成し、両壁面材１２、１３間のスペースＳに木炭１４を収納配置してなる壁体構造は知られている（特許文献１：特開平１０−６１０４７号公報）。この場合、木炭１４は通気性を有する袋体内に袋詰めされ、同袋体が前記スペースＳに収納配置されている。
【０００３】
したがって、この壁体構造にあっては、ルーバー壁面材でなる壁面材１２を介して室内との空気流通作用がなされ、木炭１４のもつ調湿、防蟻、脱臭、防虫、防かび等の効果が良好に奏されるとされている。また、この場合、木炭１４が袋詰めされているので、これを前記スペースＳに収納配置する施工は容易であるともされている。
【特許文献１】特開平１０−６１０４７号公報
【発明の開示】
【発明が解決しようとする課題】
【０００４】
しかしながら、上記従来例である壁体構造は、現場において施工されるものであり、壁そのものとして形成されるものであるため、簡単な内装工事としては施工されないものであって、リフォーム等の施工には不適である。また、木炭１４が袋詰めされていてこれを収納配置する施工は容易であるが、収納配置された木炭１４は確実に保持され難くてその自重で下方へ移動し易く、経時に伴って機能が低下する恐れもある。しかも、壁の中央部位が袋詰めされた木炭１４で構成されることになるので、構造的に弱くなるという問題もある。
【０００５】
本願発明は、上記背景技術に鑑みてなされたもので、その課題は、簡単な内装工事としてパネル施工することができ、リフォームにも対応可能であり、調湿、消臭、芳香等の機能も低下することなく良好に発揮され、構造的にも強固となる機能建築パネル及びその簡単で確実な製造方法を提供することである。
【課題を解決するための手段】
【０００６】
上記課題を解決するために、本願請求項１記載の発明は、表面に機能剤収容溝を複数並設してなる無機質繊維板の同表面に、細長板片が細長貫通溝を介して複数並設された格子状板を、機能剤収容溝と細長貫通溝とが交差するように積層し、パネルとして一体化してなる機能建築パネルとしたものである。
【０００７】
また、本願請求項２記載の発明は、請求項１記載の機能建築パネルにおいて、機能剤収容溝の内面に機能剤を塗布することにより収容して設けたことを特徴とする。
【０００８】
また、本願請求項３記載の発明は、請求項１又は２記載の機能建築パネルにおいて、無機質繊維板を保持枠内に収納し、保持枠の裏側に背板を固定して無機質繊維板の裏面を覆うと共に、保持枠の表側に格子状板を固定したことを特徴とする。
【０００９】
また、本願請求項４記載の発明は、請求項３記載の機能建築パネルにおいて、保持枠の外周に実部を設けたことを特徴とする。
【００１０】
また、本願請求項５記載の発明は、請求項１〜４のいずれか一項記載の機能建築パネルの製造方法であって、表面に機能剤収容溝を複数並設してなる無機質繊維板の同表面に板基材を貼着し、板基材の表面側から切削加工を施して細長貫通溝を形成することにより、細長板片が同細長貫通溝を介して複数並設された格子状板を無機質繊維板の表面に積層形成することを特徴とする。
【発明の効果】
【００１１】
本願請求項１記載の発明である機能建築パネルにおいては、パネルとして一体化されているので、現場で簡単な内装工事としてパネル施工することができ、リフォームにも容易に対応可能となる。また、表面に機能剤収容溝を複数並設してなる無機質繊維板の同表面に、細長板片が細長貫通溝を介して複数並設された格子状板を、機能剤収容溝と細長貫通溝とが交差するように積層しているので、機能剤収容溝は格子状板の細長板片の裏側で連通し、機能剤収容溝に収容される調湿、消臭、芳香等の機能を有した機能剤が、格子状板の細長貫通溝を通して表側へと支障無く有効に作用する。
【００１２】
しかも、この場合、機能剤は機能剤収容溝に収容されて確実に保持されるので、機能剤による作用が長期にわたって良好に発揮される。また、無機質繊維板はそれ自体でも調湿作用を有しており、これに機能剤も保持されるので、機能が向上されて構造的にも強固となる。
【００１３】
また、本願請求項２記載の発明である機能建築パネルにおいては、特に、機能剤収容溝の内面に機能剤を塗布することにより収容して設けたので、機能剤が機能剤収容溝の内面から無機質繊維板に含浸されて強固に保持される。しかも、この場合、機能剤は塗布作業によって簡単に設けられる。
【００１４】
また、本願請求項３記載の発明である機能建築パネルにおいては、特に、無機質繊維板を保持枠内に収納し、保持枠の裏側に背板を固定して無機質繊維板の裏面を覆うと共に、保持枠の表側に格子状板を固定したので、無機質繊維板がその周囲の保持枠と裏側の背板とで保護されると共にパネル全体として補強され、機能剤による作用は表側以外へ漏出することなく有効に発揮される。
【００１５】
また、本願請求項４記載の発明である機能建築パネルにおいては、特に、保持枠の外周に実部を設けたので、隣接するもの同士を実部によって接続することができ、現場でのパネル施工は容易且つ確実に行われるようになる。
【００１６】
また、本願請求項５記載の発明である機能建築パネルの製造方法においては、特に、板基材の表面側から切削加工を施して細長貫通溝を形成することにより、細長板片が同細長貫通溝を介して複数並設された格子状板を無機質繊維板の表面に積層形成するので、細長板片を個別に貼着するのではなく板基材としてまとめて貼着することができ、貼着後に切削加工によって細長貫通溝を容易且つ正確に形成することもできて、簡単で確実な製造方法となる。
【発明を実施するための最良の形態】
【００１７】
図１〜６は、本願請求項１〜５全てに対応した一実施形態を示している。この実施形態の機能建築パネルＡは、表面に機能剤収容溝１を複数並設してなる無機質繊維板２の同表面に、細長板片３が細長貫通溝４を介して複数並設された格子状板５を、機能剤収容溝１と細長貫通溝４とが交差するように積層し、パネルとして一体化してなる。
【００１８】
また、この実施形態の機能建築パネルでは、図２、３に示すように、機能剤収容溝１の内面に機能剤６を塗布することにより収容して設けている。そして、無機質繊維板２を保持枠７内に収納し、保持枠７の裏側に背板９を固定して無機質繊維板２の裏面を覆うと共に、保持枠７の表側に格子状板５を固定しており、この場合、図２〜５に示すように、保持枠７の外周に実部９ａ、９ｂを設けてもいる。
【００１９】
また、この実施形態の機能建築パネルの製造方法では、表面に機能剤収容溝１を複数並設してなる無機質繊維板２の同表面に板基材５１を貼着し、板基材５１の表面側から切削加工を施して細長貫通溝４を形成することにより、細長板片３が同細長貫通溝４を介して複数並設された格子状板５を無機質繊維板２の表面に積層形成している。
【００２０】
以下、この実施形態の機能建築パネル及びその製造方法をより具体的に説明する。この実施形態の機能建築パネルでは、無機質繊維板２がロックウール板或いはガラス繊維板で長方形状に形成されている。無機質繊維板２の表面には多数の機能剤収容溝１が、同無機質繊維板２の短手巾方向で相互に平行で等間隔にして並設されている。機能剤収容溝１は角型溝状で切削加工やプレス加工によって形成されたものであり、その溝深さ寸法は無機質繊維板２の厚さ寸法の半分程度である。
【００２１】
そして、各機能剤収容溝１の内底面及び両内側面には、調湿、消臭、芳香等の機能を有した機能剤６が塗布することにより収容して設けられている。ここでは、無機質繊維板２が連通した多孔質状で耐薬品性にも優れたものであるため、塗布された機能剤６は浸透して確実に保持される。なお、無機質繊維板２には、機能向上のためにシリカゲルを含有させておいてもよい。
【００２２】
保持枠７は木質角材が長方形状に枠組みされたもので、その内周形状は前記無機質繊維板２の外周形状に略合致するように形成されている。保持枠７の外周には雄実形状の実部９ａと雌実形状の実部９ｂとが相互に対向する辺に配設されており、各実部９ａ、９ｂは切削加工によって形成されたものである。保持枠７の裏側には背板９が貼着固定されており、背板９の外周形状は同保持枠７の外周形状に略合致するように形成されている。この背板９が貼着固定された保持枠７内に、前記多数の機能剤収容溝１が形成されてその内面には機能剤が塗布された無機質繊維板２を嵌め込んで接着固定するものである。なお、背板９は木質板、石膏ボード等で形成されている。
【００２３】
前記多数の機能剤収容溝１が形成されてその内面には機能剤が塗布された無機質繊維板２の表面に、細長板片３が細長貫通溝４を介して多数並設された格子状板５が、機能剤収容溝１と細長貫通溝４とが直交するように積層され、同格子状板５は前記保持枠７の表側に接着固定されている。
【００２４】
この場合、背板９が貼着固定された保持枠７内に、前記多数の機能剤収容溝１が形成されてその内面には機能剤が塗布された無機質繊維板２を嵌め込んで接着固定した同無機質繊維板２の表面に板基材５１を貼着し、板基材５１の表面側からその長手方向に沿った切削加工を施して多数の細長貫通溝４を形成することにより、細長板片３が同細長貫通溝４を介して多数並設された格子状板５を無機質繊維板２の表面に積層形成している。
【００２５】
また、この場合、背板９が貼着固定された保持枠７内に無機質繊維板２が嵌め込み固定されてその表面に板基材５１が貼着された後に、切削加工によって同板基材５１に細長貫通溝４を形成すると共に前記保持枠７に実部９ａ、９ｂを形成することもできる。切削加工によって形成される細長貫通溝４の溝深さ寸法は板基材５１の厚さ寸法よりも若干深く設定され、同細長貫通溝４の底部４１が無機質繊維板２の表面に若干入り込んでいる。なお、板基材５１は木質板等で形成され、その表面には塗装が施されたり化粧シートが貼着されたりして内装に適合される。
【００２６】
そして、図５に示すように、この実施形態の機能建築パネルＡは、前記実部９ａ、９ｂが相互に嵌合されることで接続され、図６に示すように、壁下地１０上に内装壁面材として上下左右に並設施工される。この場合、機能建築パネルＡは横長状態にして設置され、格子状板５の各細長板片３及び細長貫通溝４の溝方向が横方向となり、無機質繊維板２の各機能剤収容溝１の溝方向は縦方向となる。そして、機能建築パネルＡが並設施工された部位の上下周辺部位には、機能建築パネルＡと外周縁のみが同一形状の通常の内装壁面材であるボーダーパネル１１が設置施工されている。
【００２７】
したがって、この実施形態の機能建築パネルＡにおいては、矩形のパネルとして一体化されているので、現場で簡単な内装工事としてパネル施工することができ、リフォームにも容易に対応可能となる。また、表面に機能剤収容溝１を複数並設してなる無機質繊維板２の同表面に、細長板片３が細長貫通溝４を介して複数並設された格子状板５を、機能剤収容溝１と細長貫通溝４とが直交するように積層しているので、機能剤収容溝１は格子状板５の細長板片３の裏側で連通し、機能剤収容溝１に収容される調湿、消臭、芳香等の機能を有した機能剤６が、格子状板５の細長貫通溝４を通して表側へと支障無く有効に作用する。
【００２８】
しかも、この場合、機能剤６は機能剤収容溝１に収容されて確実に保持されるので、機能剤６による作用が長期にわたって良好に発揮される。また、無機質繊維板２はそれ自体でも連通した多孔質状で耐薬品性にも優れたものであって調湿作用を有しており、これに機能剤６も保持されるので、機能が向上されて構造的にも強固となる。
【００２９】
また、この実施形態の機能建築パネルＡにおいては、機能剤収容溝１の内側全面に機能剤６を塗布することにより収容して設けたので、機能剤６が機能剤収容溝１の内側全面から無機質繊維板２に含浸されて強固に保持される。しかも、この場合、機能剤６はフローコーター、ロールコーター、スプレー等による塗布作業によって簡単に設けられる。
【００３０】
また、この実施形態の機能建築パネルＡにおいては、無機質繊維板２を保持枠７内に嵌め込んで収納固定し、保持枠７の裏側に背板８を固定して無機質繊維板２の裏面を覆うと共に、保持枠７の表側に格子状板５を固定したので、無機質繊維板２がその周囲の保持枠７と裏側の背板８とで保護されると共にパネル全体として補強され、機能剤７による作用は表側以外へ漏出することなく有効に発揮される。しかも、この場合、保持枠７の外周に実部９ａ、９ｂを設けたので、隣接するもの同士を実部９ａ、９ｂによって嵌合接続することができ、現場でのパネル施工は容易且つ確実に行われるようになる。
【００３１】
また、この実施形態の機能建築パネルＡの製造方法においては、板基材５１の表面側から切削加工を施して細長貫通溝４を形成することにより、細長板片３が同細長貫通溝４を介して複数並設された格子状板５を無機質繊維板２の表面に積層形成するので、細長板片４を個別に貼着するのではなく一枚の板基材５１としてまとめて貼着することができ、貼着後に切削加工によって細長貫通溝４を容易且つ正確に形成することもできて、簡単で確実な製造方法となる。しかも、この場合、細長貫通溝４の溝巾寸法を変化させることによって、機能剤６による作用効力を簡単に調整することができる。
【００３２】
なお、本願発明の機能建築パネルにおいては、機能剤を棒状等の固形物に形成して機能剤収容溝に嵌め込んで収容して設けるようにしてもよい。また、本願発明の機能建築パネルは、保持枠及び背板が省略されて無機質繊維板と格子状板だけで形成されてもよい。また、本願発明の機能建築パネルは、内装天井材として並設施工されてもよい。
【図面の簡単な説明】
【００３３】
【図１】本願発明の一実施形態である機能建築パネルを示す概略分解斜視図。
【図２】同機能建築パネルを示す平面図。
【図３】図２におけるＸ−Ｘ断面図。
【図４】図２におけるＹ−Ｙ断面図。
【図５】同機能建築パネルの接続状態を示す要部断面図。
【図６】同機能建築パネルの施工状態を示す概略斜視図。
【図７】従来例である壁体構造を示す断面図。
【符号の説明】
【００３４】
Ａ  機能建築パネル
１  機能剤収容溝
２  無機質繊維板
３  細長板片
４  細長貫通溝
５  格子状板
５１  板基材
６  機能剤
７  保持枠
８  背板
９ａ、９ｂ  実部
【図１】
2008174933.tif 000003
【図２】
2008174933.tif 000004
【図３】
2008174933.tif 000005
【図４】
2008174933.tif 000006
【図５】
2008174933.tif 000007
【図６】
2008174933.tif 000008
【図７】
2008174933.tif 000009